(57)【特許請求の範囲】
【請求項１】
１）箸素材の端部から一定距離位置に一定の溝幅を有する周囲溝を形成して細柱部とする周囲溝形成工程、
２）該周囲溝に合成樹脂材Ｒを充填する充填工程
３）該周囲溝幅の中間位置にて箸素材を切断する切断工程、
４）切断した頭端面に合成樹脂材を盛付けする盛付け工程、
とよりなる箸頭部の保護加工方法。
【請求項２】
周囲溝形成工程において細柱部が円柱であることを特徴とする請求項１記載の箸頭部の保護加工方法。
【請求項３】
周囲溝形成工程において細柱部が角柱であることを特徴とする請求項１記載の箸頭部の保護加工方法。
【請求項４】
充填工程において固形の合成樹脂材を押し込んで充填することを特徴とする請求項１記載の箸頭部の保護加工方法。
【請求項５】
請求項１〜４のいずれか１項記載の保護加工方法によって製造された洗浄耐久性を有する洗浄箸であって、木製の箸本体の頭端面に突設された細柱部の周囲にドーム状の樹脂部が形成されていることを特徴とする洗浄箸。
【請求項６】
木製の箸本体の先端面に突設された細柱部の周囲にドーム状の樹脂部が形成されていることを特徴とする特徴とする請求項５記載の洗浄箸。
【発明の詳細な説明】
【技術分野】
【０００１】
繰り返しの洗浄が可能な洗浄箸に関し、更に詳しくは、頭端部に付与された樹脂の洗浄耐久性が高い洗浄箸に関する。
更にその洗浄箸の箸頭部の保護加工方法に関する。
【背景技術】
【０００２】
我が国では外食産業を中心に、使い捨ての割り箸が広く使用されており、その木材使用量は膨大な量になっている。
そして、我が国はその割り箸用の木材の多くを外国からの輸入によって賄っている。
しかし近年、環境保護の観点から、割り箸の原料となる木材の輸出を制限する動きも現れ始めており、今後、割り箸の生産量は減少していく可能性がある。
【０００３】
そのため、外食産業においては、洗浄することで繰り返し使用することができる箸、いわゆる「洗浄箸」へ移行すべくその需要が高まってきている。
このような洗浄箸としては、プラスチック製（特許文献１参照）や木製のものがあるが、洗浄箸が木製の場合には、該洗浄箸に防水性を付与する必要がある。
そのため、洗浄箸の表面が合成樹脂等の樹脂によって被覆された木製箸が数多く製造されている。
【先行技術文献】
【特許文献】
【０００４】
【特許文献１】特開２００６−１５８８１１号公報
【特許文献２】特許第４３９６９４７号公報
【特許文献３】特開平５−３８２５号公報
【発明の概要】
【発明が解決しようとする課題】
【０００５】
ところで、洗浄箸の端部は、洗浄中に他の箸等と頻繁に接触或いは衝突する部位であるので、端部に付与された樹脂は摩擦による磨り減りやひび割れ等によって、剥がれ易い傾向にある。特に洗浄装置を使った洗浄では尚更である。
木製の洗浄箸では、樹脂が剥がれ落ちてくると、樹脂が剥がれた箇所から水が洗浄箸に染み込み、その部分が膨張、或いは軟化する。
その結果、洗浄箸から剛性が失われ使いにくくなる。
【０００６】
このようなことから、端部が曲面に形成された洗浄箸が提供されている。洗浄箸の先端部が曲面に形成されることで、他の箸等との接触摩擦が極力軽減される。
先端部を曲面にする方法としては、図１９（Ａ）に示すように、洗浄箸の箸本体１００の先端部を丸く加工して、その表面に樹脂膜１０１を形成する方法がある。
しかし樹脂膜１０１は先端部の周囲に沿って薄くしか付与されないため、図１９（Ｂ）に示すように、先端部の樹脂膜１０１から樹脂が剥がれ落ち、一部地肌１０１Ａが露出する。
【０００７】
一方、図２０（Ａ）に示すように、箸本体１００の先端面１２Ａを平面化し、そこに樹脂をドーム状に付与することで、樹脂塊Ｒを形成する方法もある。
しかし、このように形成された樹脂塊Ｒは、図２０（Ｂ）に示すように、箸本体１００の軸方向の引っ張り力が加わると、樹脂塊Ｒ全体が、先端面１２Ａから一挙に離脱してしまう傾向がある。
さらに、図２０（Ｃ）に示すように、樹脂塊Ｒに先端面１２Ａと平行な方向の力が加わった場合も、剪断力により樹脂塊Ｒは先端面１２Ａから一挙に離脱してしまう傾向がある。
上述したように、従来の洗浄箸において、箸本体の先端部に付与された樹脂の耐久性は、必ずしも満足できるものではなかった。
【０００８】
以上のようなことから、発明者は、木製の箸本体の先端面に突設された小突起の周囲にドーム状の樹脂部が形成され、該小突起が円筒状で平らな先端面から突出した構造の洗浄箸を開発している（特許文献２参照）。
このような箸は耐久性の観点では極めて優れたものである。
しかし箸の端部にこのような樹脂部を形成する際、その小突起が長い場合、いわゆる、どぶ付けによる方法では表面張力が十分効かず樹脂材Ｒの盛り付けができない。
また、箸の頭部には、箸素材１に乾燥や塗布加工を行う上で把持代（箸の乾燥や塗料の塗布の際、工具で箸を垂直に把持しておくための把持領域に相当し最終的には除去される）が必要であるが、このような把持代があると、先述したどぶ付けの方法は不可能である。
【０００９】
本発明らは以上の問題点を解決すべく開発されたものである。
すなわち、頭部への樹脂部の形成が簡単に行える洗浄箸、及びその箸頭部の保護加工方法を提供することを目的とする。
【課題を解決するための手段】
【００１０】
本発明者らは、以上のような課題背景をもとに鋭意研究を重ねた結果、把持部１Ａを有する箸素材１の端部から一定距離位置に一定の溝幅を有する周囲溝１３を形成することで問題点を解決できることを見出し、その知見に基づいて本発明を完成させたものである。
【００１１】
すなわち、本発明は、（１）、１）箸素材の端部から一定距離位置に一定の溝幅を有する周囲溝を形成して細柱部とする周囲溝形成工程、２）該周囲溝に合成樹脂材Ｒを充填する充填工程、３）該周囲溝幅の中間位置にて箸素材を切断する切断工程、４）切断した頭端面に合成樹脂材を盛付けする盛付け工程、とよりなる箸頭部の保護加工方法に存する。
【００１２】
また、本発明は、（２）、周囲溝形成工程において細柱部が円柱である上記（１）記載の箸頭部の保護加工方法に存する。
【００１３】
また、本発明は、（３）、周囲溝形成工程において細柱部が角柱である上記（１）記載の箸頭部の保護加工方法に存する。
【００１４】
また、本発明は、（４）、充填工程において固形の合成樹脂材を押し込んで充填する上記（１）記載の箸頭部の保護加工方法に存する。
【００１５】
また、本発明は、（５）、上記（１）〜（４）のいずれか１項記載の保護加工方法によって製造された洗浄耐久性を有する洗浄箸であって、木製の箸本体の頭端面に突設された細柱部の周囲にドーム状の樹脂部が形成されている洗浄箸に存する。
【００１６】
また、本発明は、（６）、木製の箸本体の先端面に突設された細柱部の周囲にドーム状の樹脂部が形成されている上記（５）記載の洗浄箸に存する。
【００１７】
なお、本発明の目的に添ったものであれば上記（１）から（６）を適宜組み合わせた構成も採用可能である。
【発明の効果】
【００１８】
本発明に係る洗浄箸は、１）箸素材１の端部から一定距離位置に一定の溝幅を有する周囲溝１３を形成して細柱部とする周囲溝形成工程、  ２）該周囲溝に合成樹脂材Ｒを充填する充填工程、  ３）該周囲溝１３幅の中間位置にて箸素材１を切断する切断工程、  ４）切断した端部に合成樹脂材Ｒを盛付けする盛付け工程、を経て保護加工がなされるので、細柱部の長さが大きくできる。
【００１９】
また、どぶ付けを採用する必要がない。
また、支持するために必要な把持部１Ａを確保できる。
また箸としては、樹脂部が細柱部の周囲に樹脂が厚く付着することで形成されるので、樹脂と箸本体との接触面積が大きくなり先端部から極めて離脱しにくい。
樹脂部に箸本体の軸方向の力や軸方向と垂直方向の力（すなわち剪断力）が加わったとしても、細柱部が支持力を発揮し、樹脂部の先端面からの離脱を防止する。
すなわち、本発明に係る洗浄箸は洗浄耐久性に非常に優れたものとなる。
【図面の簡単な説明】
【００２０】
【図１】図１は本実施形態に係る洗浄箸を示した概略図である。
【図２】図２は、本実施形態に係る洗浄箸の頭端部を拡大して示した斜視図である。
【図３】図３は、本実施形態に係る洗浄箸の頭端部の形状を示す平面図である。
【図４】図４は、細柱部の幾つかの変形例を示す平面図であり、（Ａ）は矩形であり、（Ｂ）は角形（ここでは三角柱）を示す。
【図５】図５は、細柱部に円周溝を設けた変形例を示す斜視図である。
【図６】図６は、箸頭部の保護加工方法の一例を示す工程図である。
【図７】図７は、箸素材の把持部を示す図である。
【図８】図８は、細柱部の形成方法例を示す説明図である。
【図９】図９は箸本体に細柱部が形成された後の状態を示し、（Ａ）は側面図であり（Ｂ）は一部断面図である。
【図１０】図１０は、周囲溝に合成樹脂材Ｒが充填された後の状態を示し、（Ａ）は側面図であり（Ｂ）は一部断面図である。
【図１１】図１１は箸素材が切断され把持部が除去された状態を示し、（Ａ）は側面図であり（Ｂ）は一部断面図であり、また（Ｃ）は頭端部の平面図である。
【図１２】図１２は、合成樹脂材を肉盛りした後の状態を示し、（Ａ）は側面図であり、（Ｂ）は一部断面図であり、また（Ｃ）は頭端部の平面図である。
【図１３】図１３は、細柱部が円柱の場合を示し、（Ａ）は嵌合する前の側面図であり、（Ｂ）は嵌合する前の断面図である。
【図１４】図１４は、分割片を嵌合した後の横断面図（Ａ）及び縦断面図（Ｂ）を示す。
【図１５】図１５は、細柱部が正方形の柱の場合を示し、（Ａ）は嵌合する前の側面図であり、（Ｂ）は嵌合する前の断面図である。
【図１６】図１６は、分割片を嵌合した後の状態を示し、（Ａ）は横断面図であり、（Ｂ）は縦断面図を示す。
【図１７】図１７は、（Ａ）は、箸断面形状が矩形、細柱部の形状が円柱の場合、（Ｂ）は、箸断面形状が矩形、細柱部の形状も矩形の場合、（Ｃ）は、分割片が４つの場合を示す。
【図１８】図１８は、箸本体の頭端部と先端部の両方に細柱部の周囲にドーム状の樹脂部を形成した例を示す。
【図１９】図１９は、従来の洗浄箸の一例を示す概略図である。
【図２０】図２０は、従来の洗浄箸の一例を示す概略図である。
【発明を実施するための最良の形態】
【００２１】
〔第一の実施形態〕
以下、図面を用いて本発明の一実施形態について説明する。
図１は、本実施形態に係る洗浄箸を示した概略図である。
図１に示すように、本実施形態に係る洗浄箸Ａは、木製の箸本体１Ｂと、樹脂部２とからなる。
【００２２】
箸本体１Ｂの頭端面１２には、円筒状の細柱部１１が箸本体１Ｂと一体に形成されている。
樹脂部２は、細柱部１１の周囲に合成樹脂材Ｒがほぼドーム状に固まって形成された樹脂の塊である。
細柱部１１の周囲に合成樹脂材Ｒをドーム状に形成する方法については後で詳しく述べる。
【００２３】
樹脂部２がドーム状であること自体で、樹脂部２と他のもの間で生ずる摩擦力、或いは衝突力が減少する。
その結果、樹脂部２は箸本体１Ｂの頭端部から離脱しにくくなるのである。
また箸本体１Ｂの角は、樹脂部２によってカバーされ端面から内側になるため洗浄の際、端同士衝突しても保護される。
【００２４】
図２は、本実施形態に係る洗浄箸の頭端部を拡大して示した斜視図である。
図２に示すように、樹脂部２は細柱部１１を覆うように形成されるため、樹脂部２は様々な方向から加わる力に対して、強い固定力を発揮し、その結果、樹脂部２は頭端部から非常に離脱しにくい。
【００２５】
すなわち、樹脂部２と箸本体１Ｂとの接触面積は、従来の洗浄箸の先端に形成される樹脂塊Ｒ〔図２０（Ａ）参照〕と箸本体１００との接触面積よりも、細柱部１１の側壁面積の分だけ広い。
その結果、軸方向（長さ方向）の引っ張り力に対する固定力は、本実施形態に係る洗浄箸Ａの樹脂部２の方が、従来の洗浄箸に形成される樹脂塊Ｒよりも大きくなる。
従って、樹脂部２の方が頭端面１２から離脱しにくいのである。
すなわち前述した図２０（Ｂ）に示すような離脱は起きない。
【００２６】
樹脂部２は細柱部１１の周囲に形成されるため、軸方向と垂直な方向に（頭端面１２の方向）力が加わった場合（剪断力が加わった場合）でも、細柱部１１が、支持力を発揮するため樹脂部２の離脱が防止される。
【００２７】
ここで箸素材１の材料として用いられる木材は、紫檀、黒檀、檜、竹、杉、栗、柳、鉄木（ウリン）等がある。
そして、洗浄箸Ａとしては、加工性、耐久性等の点から特に鉄木（ウリン）を用いることが好ましい。
【００２８】
樹脂部２に使用する樹脂は、毒性がなく比較的硬質のものが採用されることが好ましい。中でも、安価で且つ速乾性があり、硬化後の硬度が高いことから、エポキシ樹脂、ポリエステル樹脂を用いることが好ましい。
【００２９】
図３は、本実施形態に係る洗浄箸の頭端部の形状を示す平面図である。
図３に示すように、細柱部１１は箸本体の頭端面１２に起立して形成されており、細柱部１１の直径Ｄ１は先端面の直径Ｄ２よりも短く設定され、その結果、断面積は箸本体１Ｂの頭端面１２の面積よりも小さくなっている。
細柱部１１の断面積は、剪断支持力の観点から、箸本体１Ｂの先端面の面積の５％以上であることが好ましい。
細柱部１１が形成される位置は、頭端面１２の中央に形成されることが好ましい。
【００３０】
また細柱部１１の長さ（高さ）は、後述するように周囲溝１３を形成する際の溝幅の大きさにより決定される。
溝幅を大きくすると細柱部１１の長さは大きくなり、逆に溝幅を小さくすると細柱部１１の長さは小さくなる。
同様に周囲溝１３を形成する際の溝深さの調整により、細柱部の太さを変更することができる。
【００３１】
図４は、細柱部１１の幾つかの変形例を示す平面図である。
図４に示すように、細柱部１１の断面の形状に制限はなく、図４（Ａ）に示すような矩形であってもよく、図４（Ｂ）に示すような角形（ここでは三角柱）でもよい。
しかし後述するように、細柱部の形成の仕方の観点から、断面は円形がより好ましい。
【００３２】
また、図５に示すように、細柱部１１の周囲にスリット溝Ｐを形成することも可能である。
スリット溝Ｐに合成樹脂材Ｒが入り込み抜け止めとなる。
【００３３】
次に本発明の洗浄箸の頭端部にドーム状の樹脂部を形成する方法、すなわち箸頭部の保護加工方法を述べる。
図６は、箸頭部の保護加工方法の一例を示す工程図である。
箸頭部の保護加工方法は、１）箸素材１の端部から一定距離位置に一定の溝幅を有する周囲溝１３を形成する周囲溝形成工程→２）該周囲溝１３に合成樹脂材Ｒを充填する充填工程→３）該周囲溝１３幅の中間位置にて箸素材１を切断する切断工程→４）切断した端部に合成樹脂材Ｒを盛付けする盛付け工程と各工程を経て達成される。
【００３４】
（周囲溝形成工程）
周囲溝形成工程においては、箸本体１Ａより長い箸素材１に周囲溝１３を形成する。
ここで箸素材１とは、洗浄箸である箸本体１Ａの出発材料となるもので、図７の側面図で示すように箸本体１Ａよりも把持部１Ａの領域だけ長さが大きい。
この把持部１Ａは頭端部の端面から一定の距離の領域部分Ｌを云う。
この把持部１Ａは、先述したように箸素材１を工具で把持する部分で把持された箸素材１は、工具で把持された状態で塗料が塗られ、或いは大気中で乾燥される。
【００３５】
周囲溝１３の形成方法は、特に限定されないが、例えば、箸素材１を縮径させていく方法がある。
例えば把持部１Ａを工具で把持して回転させて切削刃（いわゆるバイト）で削ることにより、箸素材１の外周面が縮径されて細柱部１１となる。
具体的には図８に示すように、箸素材１を一定の回転速度で回転させ、切削刃Ｍ（或いは研磨刃）を箸素材１の回転軸に対して垂直方向に移動調整し切削或いは研磨加工する。
【００３６】
図９は、箸素材１が縮径され所定の太さの細柱部１１が形成された後の状態を示し、（Ａ）は側面図であり（Ｂ）は一部断面図である。
【００３７】
（充填工程）
この充填工程においては、前の周囲溝形成工程で形成された箸素材１の周囲溝１３に合成樹脂材Ｒが充填される。
図１０は、箸素材１において周囲溝１３に合成樹脂材Ｒが充填され樹脂部２が形成された後の状態を示し、（Ａ）は側面図であり（Ｂ）は一部断面図である。
この合成樹脂材Ｒの充填は、例えばヘラや刷毛を使って行われる。
或いは、公知の塗料槽を備えたしごき塗り塗布器具（特許文献３参照）を使う方法も採用される。
この場合は、しごき塗り塗布器具に設けたしごきゴム部材の穴部から箸素材を挿入し、その後引き抜くことにより周囲溝１３に合成樹脂材Ｒを充填することができる。
凹凸のない模様入り塗箸を製造することができる。
この場合、丁度、箸素材１の外周と充填された合成樹脂材Ｒの外周とが面一となるようにする。
充填した後は、暫く放置して乾燥することで合成樹脂材Ｒは硬化する。
合成樹脂材Ｒが付与された箸素材１を乾燥させることで、合成樹脂材Ｒは周囲の木地組織まで入り込みながら硬化する。
【００３８】
（切断工程）
この切断工程においては、箸素材１を周囲溝１３に充填された樹脂部２の部分にて切断する。
この場合、周囲溝１３の溝幅Ｗの中間の位置において箸素材１を切断する。
この切断は例えば回転鋸により容易に行うことができる。
ここで中間の位置とは、必ずしも真ん中であるとは限らず、一方に偏った位置でもよい。
因みに、真ん中の位置である場合は、この切断により、把持部１Ａが除去されると共に合成樹脂材Ｒの樹脂部２も細柱部１１も半分となる。
【００３９】
図１１は、箸素材１が切断され把持部１Ａが除去された状態を示し、（Ａ）は側面図であり、（Ｂ）は一部断面図である。
また、（Ｃ）は頭端部の平面図である。
この切断により箸素材１は箸本体１Ｂと把持部１Ａに分断されるが、この箸本体１Ｂは、最終的には製品となるものであり、把持部１Ａは廃棄される。
箸本体１Ｂの頭端部を見ると図１１（Ｃ）で示されるように、中心部に箸本体１Ｂの地肌が小円となって露出し、その周囲に合成樹脂材Ｒで形成された樹脂部２がドーナツ状に見える。
【００４０】
（盛付け工程）
この盛付け工程においては、前記切断工程より切断された頭端部の端面に箸本体１Ｂの木面が露出するので、この部分に更に合成樹脂材Ｒを盛り付けして覆うのである。
これにより肉盛部２１が形成される。
図１２は、合成樹脂材Ｒ１を肉盛りした後の肉盛部２１が形成された状態を示し、（Ａ）は側面図であり、（Ｂ）は一部断面図である。
また（Ｃ）は平面図である。
この場合、この工程で使用する合成樹脂材Ｒ１と前の充填工程で使用した合成樹脂材Ｒとは、同じ樹脂材を使うことが好ましい。
【００４１】
盛付けして肉盛部２１を形成するには、頭端部の端面に合成樹脂材Ｒ１を、例えば、指やヘラ等を使って塗り付けるだけでよい。
塗られた合成樹脂材Ｒは、表面張力により曲面（弧状）に形成される。
このように樹脂部は肉盛部２１により半径状の樹脂部２となる。
以上のような処理加工により、箸の頭端部が合成樹脂材Ｒで覆われて保護される状態となる。
箸材質（木等）の部分が角部に位置しないので、洗浄により相互に衝突しても傷まない。
なお、盛付け工程を経た後は、必要に応じて、更に塗布処理、装飾処理、仕上げ処置等が行われる。
【００４２】
〔第２の実施形態〕
本実施の形態は、上述した第１の実施の形態の充填工程において、硬化前の流動性のある合成樹脂材Ｒを充填するのではなく、既に硬化した合成樹脂材Ｒを周囲溝１３に嵌入することにより充填するものである。
従って、合成樹脂材Ｒは分割片２Ａとして作成しておき、この分割片２Ａを周囲溝１３に押入れて固定する手法をとる。
この場合、接着剤を使うことが好ましい。
分割片２Ａは既に乾燥硬化したものを使うので、第１の実施の形態のように、合成樹脂材Ｒ１を硬化する必要がなく、乾燥させる時間が不要となるメリットがある。
【００４３】
図１３は、細柱部１１が円柱の場合を示し、（Ａ）は嵌合する前の側面図であり、（Ｂ）は嵌合する前の断面図である。
分割片２Ａは、弧状の１対の分割片２Ａを使って嵌合させているが、分割片２Ａを３つ以上とすることも可能である。
【００４４】
図１４は、分割片２Ａを嵌合した後の横断面図（Ａ）及び縦断面図（Ｂ）を示す。
【００４５】
また図１５は、細柱部１１が正方形の柱の場合を示し、（Ａ）は嵌合する前の側面図であり、（Ｂ）は嵌合する前の断面図である。
【００４６】
図１６は、分割片２Ａを嵌合した後の横断面図（Ａ）及び縦断面図（Ｂ）を示す。
この場合も、分割片２Ａはコ字状の１対の分割片２Ａを使って嵌合させているが、分割片２Ａを３つ以上とすることも可能である。
これらの分割片２Ａは箸素材１の中心に向かって押し込むことで容易に周囲溝１３に嵌り込む。
ところで、箸素材１の断面形状が円形の例で説明したが、長円状、或いは角形状とすることも可能である。
【００４７】
図１７は、箸素材１の断面形状、細柱部の形状、分割片の形状の組み合わせの例を幾つか示したものである。
（Ａ）は、箸素材断面形状が矩形、細柱部の形状が円柱の場合、（Ｂ）は、箸素材断面形状が矩形、細柱部の形状も矩形の場合、（Ｃ）は、（Ｂ）の場合において分割片が４つの場合を示す。
【００４８】
以上、本発明を説明してきたが、本発明は以上の実施の形態に限定されることなく種々の変形例が可能である。
例えば、樹脂部のドーム状とは、丸屋根状、半球状等を含むものである。
また、ドーム状の樹脂部は、例えば、箸の頭端部だけでなく、箸本体の先端部に突設された細柱部の周囲にも形成するようにしてもよい（図１８参照）。
【００４９】
また、例えば上述した実施形態では箸本体の断面形状が円形の例で説明したが、長円状、或いは角形状でも変更可能である。
その場合は、細柱部１１を縮径する方法としてプレス機を使った圧縮成形も採用可能である。
また、製造工程の際、乾燥が行われるが、この乾燥は室温乾燥だけでなく積極的な乾燥室での乾燥等、適宜採用が可能である。
また、合成樹脂材Ｒを充填する充填工程で使用される樹脂は、塗料、合成樹脂、漆、膠等から適宜選択されて用いられる。
【産業上の利用可能性】
【００５０】
本発明は、頭部が保護加工された洗浄耐久性に非常に優れた洗浄箸に関し、またその保護加工方法に関するものであり、周囲溝形成工程、充填工程、切断工程、盛付け工程、を経て保護加工がなされるが、この原理を応用する限り、杖、杭、等の洗って使える、しかも頭端部の耐久性を求めるものに対しても適用可能である。
【符号の説明】
【００５１】
Ａ…洗浄箸
Ｂ…研磨手段
Ｒ…合成樹脂材（樹脂塊）
Ｒ１…合成樹脂材
Ｍ…切削刃（研磨刃）
Ｐ…スリット溝
Ｗ…溝幅
１…箸素材
１Ａ…把持部
１Ｂ…箸本体
１１…細柱部
１２…頭端面
１２Ａ…先端面
１３…周囲溝
２…樹脂部
２１…肉盛部
２Ａ…分割片
１００…箸本体
１０１…樹脂膜
１０１Ａ…一部地肌
【図１】
0005495263.tif 000002
【図２】
0005495263.tif 000003
【図３】
0005495263.tif 000004
【図４】
0005495263.tif 000005
【図５】
0005495263.tif 000006
【図６】
0005495263.tif 000007
【図７】
0005495263.tif 000008
【図８】
0005495263.tif 000009
【図９】
0005495263.tif 000010
【図１０】
0005495263.tif 000011
【図１１】
0005495263.tif 000012
【図１２】
0005495263.tif 000013
【図１３】
0005495263.tif 000014
【図１４】
0005495263.tif 000015
【図１５】
0005495263.tif 000016
【図１６】
0005495263.tif 000017
【図１７】
0005495263.tif 000018
【図１８】
0005495263.tif 000019
【図１９】
0005495263.tif 000020
【図２０】
0005495263.tif 000021